(57)【要約】【課題】本発明は売上げの集計を行う精算時間に拘らず、その日の売上げ金額を正確に集計することを課題とする。【解決手段】燃料供給システム１０では、セルフサービス給液方式の計量機１２と、設定器１４と、管理コンピュータ１８とを有する。また、設定器１４は、貨幣のみを扱う自動支払機２９が設けられており、設定器１４の制御部５４は、自動支払機２９の貨幣収容部３４に収容された貨幣の未回収金額を記憶し、メモリ５５に記憶された未回収金額を送信し、貨幣収容部３４に収容された貨幣を回収したときの回収金額を送信する。管理コンピュータ１８は、設定器１４から送信された回収金額を記憶し、設定器１４から送信された未回収金額を記憶し、前回の集計以降に回収された回収金額と前回の集計以降に記憶された未回収金額とを合計した金額を当日の売上げ金額として報知する。【選択図】　　図１
2004059019.tif 000002
【特許請求の範囲】
【請求項１】
入金金額に応じた燃料の供給量を上限として当該上限値以下の燃料の供給量を設定する燃料供給システムの設定器において、
挿入された貨幣の種類を鑑定し、当該貨幣の金額を識別する貨幣鑑別手段と、
前記貨幣鑑別手段により識別された貨幣を収容する貨幣収容部と、
前記貨幣収容部に収容されている貨幣の合計金額を未回収金額として記憶する未回収金額記憶手段と、
該未回収金額記憶手段に記憶された未回収金額を送信する未回収金額送信手段と、
前記貨幣収容部に収容された貨幣を回収したときの回収金額を送信する回収金額送信手段と、
を備えたことを特徴とする燃料供給システムの設定器。
【請求項２】
燃料の供給量を設定する設定器に入金された入金金額を集計する燃料供給システムの管理コンピュータにおいて、
前記設定器から送信される当該設定器から回収された回収金額を記憶する回収金額記憶手段と、
前記設定器から送信される当該設定器から回収されている未回収金額を記憶する未回収金額記憶手段と、
を備えてなることを特徴とする燃料供給システムの管理コンピュータ。
【請求項３】
入金金額に応じた燃料の供給量を設定する設定器と、
該設定器に入金された入金金額を集計する管理コンピュータと、
前記設定器に設けられ、挿入された貨幣の種類を鑑定し、当該貨幣の金額を識別する貨幣鑑別手段と、
前記設定器に設けられ、前記貨幣鑑別手段により識別された貨幣を収容する貨幣収容部と、
前記設定器に設けられ、前記貨幣収容部に収容された貨幣の合計金額を未回収金額として記憶する第１の未回収金額記憶手段と、
前記設定器に設けられ、該未回収金額記憶手段に記憶された未回収金額を送信する未回収金額送信手段と、
前記設定器に設けられ、前記貨幣収容部に収容された貨幣を回収したときの回収金額を送信する回収金額送信手段と、
前記管理コンピュータに設けられ、前記回収金額送信手段により送信された回収金額を記憶する回収金額記憶手段と、
前記管理コンピュータに設けられ、前記未回収金額送信手段により送信された未回収金額を記憶する第２の未回収金額記憶手段と、
を備えてなることを特徴とする燃料供給システム。
【発明の詳細な説明】
【０００１】
【発明の属する技術分野】
本発明は燃料供給システムに係り、特に給液所で燃料を車両に供給するときに設定器に貨幣（貨幣、硬貨）を投入して給液量を設定するよう構成した燃料供給システムに関する。
【０００２】
【従来の技術】
例えば、セルフサービス方式の計量機が設置された給液所等では、運転者自身が給液作業の設定、給液作業、給液料金の精算を行うようになっている。そのため、運転者は、給液を行う前に給液する油種や給液量等のスイッチを有する設定器により所定の油種、給液量または給液金額を入力する設定操作を行った後、給液料金の精算方法を指定するようになっている。給液料金の精算方法としては、現金で支払う方法、クレジットカードで支払う方法等がある。
【０００３】
また、セルフサービス方式の計量機に給液量または給液金額の設定を行う設定器及び貨幣が入金される自動支払機が設けられている所謂アイランド精算方式の場合には、給液場所で給液料金の精算を行うことができる。この自動支払機は、貨幣挿入部及び硬貨挿入部が設けられ、挿入された貨幣及び硬貨の種類を鑑別する鑑別部と、挿入された金額を表示する表示部とを有する。
【０００４】
そして、アイランド精算方式の燃料供給システムでは、給液前に予め給液量または給液金額をプリセットする場合、運転者は、まず自動支払機に貨幣（１万円札、５千円札等）を貨幣挿入部に挿入し、入金された金額が貨幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、計量機が給液可能状態になる。
【０００５】
【発明が解決しようとする課題】
上記のような自動支払機が備えられたアイランド精算方式の燃料供給システムでは、例えば、その日の閉店時に売上げを集計しているが、２４時間営業する場合には、閉店時間がないので、その日の顧客が少なくなった時間帯に１日の売上げを集計している。その際、係員は、計量機を停止状態にして各計量機に設けられた自動支払機の貨幣挿入部から貨幣を回収し、各計量機毎の売上げ金額を集計する。
【０００６】
そのため、従来は、顧客の車両が計量機の前に到着しても全計量機に入金された金額を回収して売上げ金額の集計が終わるまで車両への燃料供給ができないため、設定器に入金された金額の集計が完了するまで顧客を待たせることになり、計量機の台数が多いほど待ち時間が長くなるという問題があった。
【０００７】
そこで、本発明は上記課題を解決した燃料供給システムを提供することを目的とする。
【０００８】
【課題を解決するための手段】
本発明は上記課題を解決するため、以下のような特徴を有する。
上記請求項１記載の発明は、入金金額に応じた燃料の供給量を上限として当該上限値以下の燃料の供給量を設定する燃料供給システムの設定器において、挿入された貨幣の種類を鑑定し、当該貨幣の金額を識別する貨幣鑑別手段と、貨幣鑑別手段により識別された貨幣を収容する貨幣収容部と、貨幣収容部に収容されている貨幣の合計金額を未回収金額として記憶する未回収金額記憶手段と、未回収金額記憶手段に記憶された未回収金額を送信する未回収金額送信手段と、貨幣収容部に収容された貨幣を回収したときの回収金額を送信する回収金額送信手段と、を備えたものであり、未回収金額記憶手段に記憶された未回収金額を送信すると共に、貨幣を回収したときの回収金額を送信することにより、例えば、給液所の事務所で設定器に入金された入金金額を正確に把握することが可能になり、売上げの集計を行う精算時間に拘らず、その日の売上げ金額を正確に集計することが可能になる。
【０００９】
また、請求項２記載の発明は、燃料の供給量を設定する設定器に入金された入金金額を集計する燃料供給システムの管理コンピュータにおいて、設定器から送信される当該設定器から回収された回収金額を記憶する回収金額記憶手段と、設定器から送信される当該設定器から回収されている未回収金額を記憶する未回収金額記憶手段と、を備えており、前回の集計以降に回収された回収金額と前回の集計以降に未回収金額記憶手段に記憶された未回収金額とを読み出すことにより、例えば、給液所の事務所で設定器に入金された入金金額を正確に把握することが可能になり、売上げの集計を行う精算時間に拘らず、その日の売上げ金額を正確に集計することが可能になる。
【００１０】
また、請求項３記載の発明は、入金金額に応じた燃料の供給量を設定する設定器と、設定器に入金された入金金額を集計する管理コンピュータと、設定器に設けられ、挿入された貨幣の種類を鑑定し、当該貨幣の金額を識別する貨幣鑑別手段と、設定器に設けられ、貨幣鑑別手段により識別された貨幣を収容する貨幣収容部と、設定器に設けられ、貨幣収容部に収容された貨幣の合計金額を未回収金額として記憶する第１の未回収金額記憶手段と、設定器に設けられ、未回収金額記憶手段に記憶された未回収金額を送信する未回収金額送信手段と、設定器に設けられ、貨幣収容部に収容された貨幣を回収したときの回収金額を送信する回収金額送信手段と、管理コンピュータに設けられ、回収金額送信手段により送信された回収金額を記憶する回収金額記憶手段と、管理コンピュータに設けられ、未回収金額送信手段により送信された未回収金額を記憶する第２の未回収金額記憶手段と、を備えたものであり、例えば、給液所の事務所で設定器に入金された入金金額を正確に把握することが可能になり、売上げの集計を行う精算時間に拘らず、その日の売上げ金額を正確に集計することが可能になる。
【００１１】
【発明の実施の形態】
以下、図面と共に本発明の実施の形態について説明する。
図１は本発明になる燃料供給システムの一実施例の構成図である。
図１に示されるように、燃料供給システム１０は、給液エリア１１に設置されたセルフサービス給液方式の計量機１２と、計量機１２に隣接するように設けられた設定器１４と、事務所１６内に設置された管理コンピュータ１８と、管理コンピュータ１８に接続された記憶装置１９とを有する。
【００１２】
設定器１４は、管理コンピュータ１８と通信回線（例えば、ＳＳ−ＬＡＮ）２０を介して接続されており、後述するように貨幣のみを扱う自動支払機２９（図３参照）が設けられた一部アイランド精算方式が採用されている。そして、事務所１６内には、貨幣以外の小銭（硬貨）による釣銭（千円未満の釣銭）を支払うための釣銭機２４及び地下タンク（図示せず）の液位を検出する液面計２５が設置されている。尚、釣銭機２４は、事務所１６外に設けても良い。
【００１３】
また、給液エリア１１には、計量機１２及び設定器１４の周辺を監視するための監視カメラ２１が設けられており、事務所内に設置されたモニタ２３には、監視カメラ２１で撮像された画像が表示される。さらに、管理コンピュータ１８は、油液の販売管理を行うＰＯＳ端末機２２と、給液エリアにおいて油液の流出などの緊急事態が発生した場合に計量機１２を停止される外部緊急停止スイッチ３２が接続されている。
【００１４】
図２は燃料供給システム１０の全体構成を示すブロック図である。
図２に示されるように、燃料供給システム１０では、４台の計量機１２（１２１〜１２４）が設置されている。管理コンピュータ１８は、４台の計量機１２（１２１〜１２４）及び設定器１４（１４１〜１４４）と通信回線（ＳＳ−ＬＡＮ）２０を介して接続されている。
【００１５】
管理コンピュータ１８は、設定器１４から送信された回収金額を記憶する制御プログラム（回収金額記憶手段）と、設定器１４から送信された未回収金額を記憶する制御プログラム（未回収金額記憶手段）と、前回の集計以降に回収された回収金額と前回の集計以降に記憶された未回収金額とを合計した金額を当日の入金金額（売上げ金額）として報知する制御プログラム（入金金額報知手段）とを備えている。
【００１６】
図３は設定器１４の概略構成を示すブロック図である。
図３に示されるように、設定器１４は、油種入力部２６と、油種設定部２８と、自動支払機２９と、収容蓋スイッチ３６と、確認スイッチ釦３８ａ，３８ｂと、油種表示部４０と、入金金額表示部４２と、単価表示部４４と、スピーカ４８と、レシートランプ釦５０と、給液ランプ５１と、レシート発行部５２と、お釣りランプ５３と、これらを制御する制御部５４とを有する。
【００１７】
油種入力部２６は、操作者が給液する油種（レギュラーガソリン、ハイオクガソリン、軽油のいずれか）を指定するものであり、油種設定部２８は油種入力部２６により入力された油種を今回給液する油種情報として設定する。
【００１８】
自動支払機２９は、貨幣挿入部３０と、貨幣鑑別部（貨幣鑑別手段）３２と、貨幣返却部３３と、貨幣収容部３４とを有する。貨幣挿入部３０には、給液前に１万円札、５千円札、千円札等の貨幣のみが挿入される。そして、貨幣鑑別部３２では、貨幣挿入部３０に挿入された貨幣の鑑定を行って、貨幣の種類に応じた入金金額を検出する。
【００１９】
貨幣返却部３３の内部は、貨幣を種類別に収容できるように仕切られており、１万円札、５千円札、千円札を個別に収容する各室が設けられている。そして、貨幣鑑別部３２で鑑定された貨幣は、種類別（１万円札、５千円札、千円札）に分類されて貨幣収容部３４に収容される。また、貨幣返却部３３は、入金後のプリセット操作により貨幣（千円以上）による釣銭が有る場合、貨幣収容部３４に収容された貨幣のなかから釣銭としての貨幣を取出して排出する。
【００２０】
給液所の係員は、定期的に貨幣収容部３４に収容された貨幣を回収する。自動支払機２９は、キーロックされた蓋２９ａ（図４参照）を有しており、蓋２９ａが開放されると、収容蓋スイッチ３６がオンになって貨幣の回収作業が行われたことを検出できる。
【００２１】
確認スイッチ釦３８ａ，３８ｂは、油種表示部４０に表示された油種、及び入金金額表示部４２に表示された入金金額が確認されると、ＹＥＳまたはＮＯによって選択的に操作される。また、確認スイッチ釦３８ａ，３８ｂは、ランプが内蔵されており、後述するように入金があると、点滅して操作順序を報知する。
【００２２】
レシートスイッチ５０は、給液終了後に点灯してレシート発行部５２からのレシート発行を報知するものである。また、お釣りランプ５３は、給液後に釣銭があるとき点灯して釣銭があることを顧客に報知する。そして、レシート発行部５２は、給液終了後、給液した油種、給液量、給液金額、釣銭を印字したレシートを発行する。また、スピーカ４８は、油種設定の操作方法や入金方法や釣銭を受け取る場合の方法を音声でガイダンスする。
【００２３】
制御部５４のメモリ５５には、貨幣収容部３４に収容されている貨幣の合計金額を未回収金額として記憶する制御プログラム（未回収金額記憶手段）と、未回収金額記憶手段に記憶された未回収金額を送信する制御プログラム（未回収金額送信手段）と、貨幣収容部３４に収容された貨幣を回収したときの回収金額を送信する制御プログラム（回収金額送信手段）と、が格納されている。
【００２４】
次に、設定器１４に設けられた操作パネルの構成及び操作手順について説明する。
【００２５】
図４は設定器１４に設けられた操作パネルの一例を示す正面図である。
図４に示されるように、設定器１４の操作パネル５６は、上から順に▲１▼油の種類を押す、▲２▼お金を入れる、▲３▼確認する、▲４▼給液開始、▲５▼レシートを取るといった操作手順が記載されている。
【００２６】
「▲１▼油の種類を押す」の欄には、給液する油種を指定するための油種入力部２６として軽油釦５８、ハイオク釦６０、レギュラー釦６２が配置されている。また、軽油釦５８、ハイオク釦６０、レギュラー釦６２は、ランプが内蔵されており、後述するようにオンに操作されると点灯して選択された油種であることを表示する。
【００２７】
「▲２▼お金を入れる」の欄には、貨幣を挿入する貨幣挿入部３０と貨幣返却部３３とを有する自動支払機２９、入金金額表示部４２、単価表示部４４が設けられている。また、自動支払機２９の蓋２９ａは、通常、キーによりロックされており、貨幣回収時にロック解除されて開かれる。また、自動支払機２９は、蓋２９ａが開かれたことを検出する収容蓋スイッチ３６と、貨幣鑑別部３２と、貨幣収容部３４とを有する。そして、自動支払機２９の蓋２９ａは、貨幣収容部３４に収容された貨幣が回収されると、閉塞されてロックされる。
【００２８】
「▲３▼確認する」の欄には、ＹＥＳ確認スイッチ釦３８ａとＮＯ確認スイッチ釦３８ｂとが設けられている。
【００２９】
「▲４▼給液開始」の欄には、給液許可がおりたことを点滅して報知する給液ランプ５１が設けられている。
【００３０】
「▲５▼レシート」の欄には、レシートスイッチ５０と、レシート発行部５２と、お釣りランプ５３とが設けられている。
【００３１】
ここで、上記燃料供給システム１０において、行われる給液操作について説明する。
給液のため給液所に到着した車両の操作者は、まず給液エリア１１の空いている計量機１２の前に車両を停車させてから設定器１４の設定操作を行う。そして、設定器１４による油種、給液金額を設定し終わると、計量機１２の給液ノズルを車両の給液口（図示せず）に挿入して給液を開始する。
【００３２】
次に、顧客（運転者）及び給液所の監視者（係員）が行う操作手順について説明する。
図５は顧客（運転者）及び給液所の監視者（係員）が行う操作手順について説明するフローチャートである。
図５に示されるように、顧客（運転者）が設定器１４において、軽油釦５８、ハイオク釦６０、レギュラー釦６２の何れかをオンに操作して油種選択操作を行った（Ｓ１１）後、貨幣を貨幣挿入部３０に挿入すると、入金金額が入金金額表示部４２に表示される（Ｓ１２）。
【００３３】
次に顧客が、給液金額のプリセット設定を行うと共に、プリセットされた給液金額に相当する給液量を表示する（Ｓ１３）。そして、表示された給液金額及び給液量が間違っているときは（Ｓ１４）、確認スイッチ釦３８ｂをオンに操作する（Ｓ１５）。この場合、顧客は設定操作を最初からやり直す。
【００３４】
また、表示された給液金額及び給液量が正しければ（Ｓ１４）、確認スイッチ釦３８ａをオンに操作する（Ｓ１６）。そして、貨幣の釣銭（千円以上）があるかどうかを判断して（Ｓ１７）、貨幣の釣銭があるときは、貨幣返却部３３に釣銭としての貨幣を排出する（Ｓ１８）。上記プリセット操作が終了すると、計量機１２において、給液ノズル（図示せず）をノズル掛けから外して（Ｓ１９）、車両の給液口に挿入する。
【００３５】
この後、給液所の事務所において、管理コンピュータ１８は、計量機１２からの給液許可要求信号を受けて給液許可待ち状態になる（Ｓ２０）。給液所の係員（監視者）は、計量機１２からの給液許可要求に対して設定器１４により設定されたプリセット値とモニタ２３に表示された当該計量機１２周辺の画像を確認して給液許可を出力する（Ｓ２１）。
【００３６】
計量機１２では、給液許可信号を受信すると、給液ランプ５１が点滅し、ポンプ（図示せず）が起動されて給液が開始される（Ｓ２２）。そして、プリセットされた給液量が給液されると、ポンプが停止される（Ｓ２３）。顧客が給液ノズルを計量機１２のノズル掛けに戻すと（Ｓ２４）、設定器１４では給液量と入金金額との差を求めて釣銭（千円以下）の有無を判別する（Ｓ２５）。
【００３７】
釣銭（千円以下）があるときは、レシートランプ釦５０を点滅させてレシート発行部５２からレシートを発行する（Ｓ２６）。その後、給液所の事務所において、係員（監視者）は、釣銭機２４に伝票番号を入力して釣銭の払い出しを許可する（Ｓ２７）。
【００３８】
顧客は、給液終了後、釣銭機２４から釣銭を受取る（Ｓ２８）。これで、給液及び精算処理は終了する（Ｓ２９）。
【００３９】
また、Ｓ２５で釣銭がないときは、レシートランプ釦５０を点滅させる（Ｓ３０）。顧客がレシートランプ釦５０を押圧してオンに操作すると（Ｓ３１）、レシート発行部５２からレシートを発行する（Ｓ３２）。これで、給液及び精算処理は終了する（Ｓ３３）。
【００４０】
また、Ｓ３１で顧客がレシートランプ釦５０を押圧操作しないときは、３０秒経過したかどうかを確認する（Ｓ３４）。尚、３０秒が経過してもレシートランプ釦５０が押圧操作されないときは、レシートランプ釦５０を消灯させ（Ｓ３５）、給液及び精算処理を終了する。
【００４１】
次に上記燃料供給システム１０の設定器１４で実行される入金・回収処理について説明する。
図６は設定器１４の制御部５４が実行する入金・回収処理を説明するためのフローチャートである。
図６に示されるように、設定器１４の制御部５４は、貨幣挿入部３０から自動支払機２９に貨幣が挿入されたかどうかをチェックする（Ｓ４１）。Ｓ４１で貨幣が挿入されないときは、管理コンピュータ１８から精算信号が入力されたかどうかをチェックする（Ｓ４２）。Ｓ４２で精算信号が入力されないときは、収容蓋スイッチ３６がオンまたはオフにより貨幣の回収かどうかをチェックする（Ｓ４３）。Ｓ４３で収容蓋スイッチ３６がオフの場合には、上記Ｓ４１に戻る。
【００４２】
そして、Ｓ４１において、貨幣挿入部３０から自動支払機２９に貨幣が挿入されたときは、貨幣鑑別部３２で貨幣挿入部３０に挿入された貨幣の鑑定を行って、貨幣の種類に応じた入金金額を検出した後、入金された貨幣を金額に応じた貨幣収容部３４に投入する。
【００４３】
続いて、貨幣収容部３４に収容されていた未回収金額に今回入金された入金金額を加算して貨幣収容部３４に収容された未回収金額を更新する（Ｓ４４）。次に、Ｓ４４で更新された未回収金額をメモリ５５に記憶させる（未回収金額記憶手段、Ｓ４５）。この後、Ｓ４１に戻る。
【００４４】
また、上記Ｓ４２において、管理コンピュータ１８から精算信号が入力されたときは、貨幣収容部３４に収容された現在の未回収金額を管理コンピュータ１８へ送信する（未回収金額送信手段、Ｓ４６）。この後、Ｓ４１に戻る。
【００４５】
また、上記Ｓ４３において、収容蓋スイッチ３６がオンになって貨幣を回収した場合、貨幣収容部３４に収容されていた貨幣の全てが係員によって回収（集金）されるため、メモリ５５に記憶された未回収金額をゼロにリセットする（Ｓ４７）。続いて、係員によって回収（集金）された回収金額を管理コンピュータ１８へ送信する（回収金額送信手段、Ｓ４８）。この後、Ｓ４１に戻る。
【００４６】
次に上記燃料供給システム１０の管理コンピュータ１８で実行される精算処理について説明する。
図７は管理コンピュータ１８が実行する精算処理を説明するためのフローチャートである。
図７に示されるように、管理コンピュータ１８の精算釦（図示せず）がオンに操作されたかどうかをチェックする（Ｓ５１）。Ｓ５１で管理コンピュータ１８の精算釦（図示せず）がオンに操作されないときは、各設定器１４（１４１〜１４４）から回収金額が入力されたかどうかをチェックする（Ｓ５２）。Ｓ５２で設定器１４（１４１〜１４４）から回収金額が入力されないときは、Ｓ５１に戻る。
【００４７】
また、Ｓ５２で設定器１４から回収金額が入力されたときは、回収金額を記憶装置１９に記憶させる（回収金額記憶手段、Ｓ５３）。その後、Ｓ５１に戻る。
【００４８】
また、Ｓ５１において、管理コンピュータ１８の精算釦（図示せず）がオンに操作されたときは、精算信号を給液所に設置された設定器１４（１４１〜１４４）に送信する（Ｓ５４）。
【００４９】
全ての設定器１４（１４１〜１４４）から送信された未回収金額が入力されたかどうかをチェックする（Ｓ５５）。設定器１４（１４１〜１４４）から当日回収された当日回収金額の合計値を演算する（Ｓ５６）。
【００５０】
設定器１４（１４１〜１４４）の貨幣収容部３４に収容された当日未回収金額の合計値を演算する（Ｓ５７）。続いて、記憶装置１９に記憶された前日の未回収金額を読み出す（Ｓ５８）。
【００５１】
次に、当日の未回収金額と当日の回収金額とを合計し、この合計金額から前日未回収金額を差し引いた金額を当日の売上げ金額として表示して係員に報知する（Ｓ５９）。そして、当日の未回収金額を前日の未回収金額として記憶装置１９に記憶させる（Ｓ６０）。
【００５２】
図８は自動支払機２９に入金された貨幣の回収処理と精算処理の時間差の一例を示すタイミングチャートである。
図８に示されるように、例えば、▲１▼時間Ｔ１に前日の回収処理が行われ、▲２▼時間Ｔ２に前日の回収後の入金が行われ、▲３▼時間Ｔ３に前日の精算処理が行われ、▲４▼時間Ｔ４に当日の回収後の入金が行われ、▲５▼時間Ｔ５に当日の回収処理が行われ、▲６▼時間Ｔ６に当日回収後の入金が行われ、▲７▼時間Ｔ７に当日の精算処理が行われる場合を例に挙げて貨幣回収処理及び精算処理を説明する。
【００５３】
この例のように、時間Ｔ１で前日の回収処理が行われた後、時間Ｔ５で次の当日回収処理が行われる場合、時間Ｔ１−Ｔ５間に前日回収後入金と前日精算処理と当日回収前入金が行われる。そのため、入金された貨幣の回収処理（Ｔ５）の際には、前日の精算処理前に入金された前日回収後入金（Ｔ２）の貨幣と、当日回収前入金（Ｔ４）の貨幣とが回収される。
【００５４】
また、時間Ｔ１−Ｔ５間に前日精算処理（Ｔ３）が行われる。そして、当日回収処理（Ｔ５）の後に当日回収後入金（Ｔ６）があり、その後、当日精算処理（Ｔ７）が行われる。
【００５５】
従って、当日精算処理（Ｔ７）を行う際は、前日精算処理（Ｔ３）以後に自動支払機２９に入金された金額の合計値が当日の売上げ金額となる。この売上げ金額は、既に貨幣収容部３４から回収された当日回収前入金（Ｔ４）の金額と、貨幣収容部３４に収容された当日未回収金額である当日回収後入金（Ｔ６）の金額との合計値より前日回収後入金（Ｔ２）の金額を差し引いた金額である。
【００５６】
ここで、複数の設定器１４（１４１〜１４４）に入金された上記精算処理を行う場合の集計処理の一例について図９を参照して説明する。
図９は複数の設定器から回収された貨幣金額と未回収の貨幣金額との集計処理を模式的に示す図である。
図９に示されるように、例えば、各設定器１４（１４１〜１４４）に入金された貨幣が回収された後、時間Ｔ１１に設定器１４１で千円の入金があり、設定器１４４で３千円の入金があり、時間Ｔ１２に設定器１４１で６千円の入金があった場合、前回精算（Ｔ１３）時点での未回収の前日未回収金額の合計は、１万円となる（上記Ｓ５３の処理）。
【００５７】
その後、時間Ｔ１４に設定器１４１から３万２千円と前日未回収の７千円の貨幣が回収され、時間Ｔ１５に設定器１４２から６万２千円の貨幣が回収され、時間Ｔ１６に設定器１４３から７万７千円の貨幣が回収され、時間Ｔ１７に設定器１４４から５万４千円と前日未回収の３千円が回収され、時間Ｔ１８に設定器１４１から４万６千円の貨幣が回収されると、当日回収金額の合計は、２８万８千円となる（上記Ｓ５６の処理）。
【００５８】
また、時間Ｔ１９での未回収金額は、設定器１４１で千円の入金があり、設定器１４２で５千円の入金があり、設定器１４３で１万円の入金があった場合、当日の未回収金額の合計は、１万６千円になる（上記Ｓ５７の処理）。
【００５９】
そして、時間Ｔ２０で精算処理を行うと、当日回収金額（２８万８千円）、当日未回収金額（１万６千円）の合計金額（２９万４千円）から前日未回収金額（１万円）を差し引いた金額が当日の売上げ金額となる（上記Ｓ５９の処理）。
【００６０】
従って、給液所の事務所では、回収された貨幣の金額と未回収の貨幣の金額とを分けて記憶させることが可能であるので、回収時間と売上げの集計を行う精算時間に差があっても各設定器１４（１４１〜１４４）に入金された入金金額を正確に把握することが可能になり、売上げの集計を行う精算時間に拘らず、その日の売上げ金額を正確に集計することが可能になる。
【００６１】
尚、上記実施の形態では、精算処理及び回収処理を１日に１回行う場合を例に挙げて説明したが、これに限らず、任意の時間間隔（例えば、６時間毎）に精算処理及び回収処理を行うようにすることも可能である。
【００６２】
また、各設定器１４（１４１〜１４４）に入金された入金金額を入金された日時も記憶させることで指定された任意の時間帯の入金金額や売上げ金額を確認することが可能になり、あるいは、各設定器１４（１４１〜１４４）毎に各時間別の入金金額や売上げ金額を確認することが可能になる。
【００６３】
また、地上設置型の計量機に取り付けられた構成を一例として挙げたが、これに限らず、懸垂式の給液装置にも適用できるのは勿論である。
【００６４】
また、上記実施の形態では、ガソリンや軽油等の油液を車両の燃料タンクに給油する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６５】
【発明の効果】
上述の如く、上記請求項１記載の発明によれば、入金金額に応じた燃料の供給量を上限として当該上限値以下の燃料の供給量を設定する燃料供給システムの設定器において、挿入された貨幣の種類を鑑定し、当該貨幣の金額を識別する貨幣鑑別手段と、貨幣鑑別手段により識別された貨幣を収容する貨幣収容部と、貨幣収容部に収容されている貨幣の合計金額を未回収金額として記憶する未回収金額記憶手段と、未回収金額記憶手段に記憶された未回収金額を送信する未回収金額送信手段と、貨幣収容部に収容された貨幣を回収したときの回収金額を送信する回収金額送信手段と、を備えたため、未回収金額記憶手段に記憶された未回収金額を送信すると共に、貨幣を回収したときの回収金額を送信することにより、例えば、給液所の事務所で設定器に入金された入金金額を正確に把握することが可能になり、売上げの集計を行う精算時間に拘らず、その日の売上げ金額を正確に集計することができる。
【００６６】
また、請求項２記載の発明によれば、燃料の供給量を設定する設定器に入金された入金金額を集計する燃料供給システムの管理コンピュータにおいて、設定器から送信される当該設定器から回収された回収金額を記憶する回収金額記憶手段と、設定器から送信される当該設定器から回収されている未回収金額を記憶する未回収金額記憶手段と、を備えたため、前回の集計以降に回収された回収金額と前回の集計以降に未回収金額記憶手段に記憶された未回収金額とを読み出すことにより、例えば、給液所の事務所で設定器に入金された入金金額を正確に把握することが可能になり、売上げの集計を行う精算時間に拘らず、その日の売上げ金額を正確に集計することができる。
【００６７】
また、請求項３記載の発明によれば、入金金額に応じた燃料の供給量を設定する設定器と、設定器に入金された入金金額を集計する管理コンピュータと、設定器に設けられ、挿入された貨幣の種類を鑑定し、当該貨幣の金額を識別する貨幣鑑別手段と、設定器に設けられ、貨幣鑑別手段により識別された貨幣を収容する貨幣収容部と、設定器に設けられ、貨幣収容部に収容された貨幣の合計金額を未回収金額として記憶する第１の未回収金額記憶手段と、設定器に設けられ、未回収金額記憶手段に記憶された未回収金額を送信する未回収金額送信手段と、設定器に設けられ、貨幣収容部に収容された貨幣を回収したときの回収金額を送信する回収金額送信手段と、管理コンピュータに設けられ、回収金額送信手段により送信された回収金額を記憶する回収金額記憶手段と、管理コンピュータに設けられ、未回収金額送信手段により送信された未回収金額を記憶する第２の未回収金額記憶手段と、を備えたため、例えば、給液所の事務所で設定器に入金された入金金額を正確に把握することが可能になり、売上げの集計を行う精算時間に拘らず、その日の売上げ金額を正確に集計することができる。
【図面の簡単な説明】
【図１】本発明になる燃料供給システムの一実施例の構成を示すブロック図である。
【図２】燃料供給システム１０の全体構成を示すブロック図である。
【図３】設定器１４の概略構成を示すブロック図である。
【図４】設定器１４に設けられた操作パネルの一例を示す正面図である。
【図５】顧客（運転者）及び給液所の監視者（係員）が行う操作手順について説明するフローチャートである。
【図６】設定器１４の制御部５４が実行する入金・回収処理を説明するためのフローチャートである。
【図７】管理コンピュータ１８が実行する精算処理を説明するためのフローチャートである。
【図８】自動支払機２９に入金された貨幣の回収処理と精算処理の時間差の一例を示すタイミングチャートである。
【図９】複数の設定器から回収された貨幣金額と未回収の貨幣金額との集計処理を模式的に示す図である。
【符号の説明】
１０　燃料供給システム
１２（１２１〜１２４）　計量機
１４（１４１〜１４４）　設定器
１８　管理コンピュータ
１９　記憶装置
２４　釣銭機
２９　自動支払機
３０　貨幣挿入部
３２　貨幣鑑別部
３３　貨幣返却部
３４　貨幣収容部
３６　収容蓋スイッチ
３８ａ，３８ｂ　確認スイッチ釦
４２　入金金額表示部
５２　レシート発行部
５４　制御部
５５　メモリ
５６　操作パネル
【図１】
2004059019.tif 000003
【図２】
2004059019.tif 000004
【図３】
2004059019.tif 000005
【図４】
2004059019.tif 000006
【図５】
2004059019.tif 000007
【図６】
2004059019.tif 000008
【図７】
2004059019.tif 000009
【図８】
2004059019.tif 000010
【図９】
2004059019.tif 000011